【手続補正書】
【提出日】平成23年6月29日(2011.6.29)
【手続補正１】
【補正対象書類名】特許請求の範囲
【補正対象項目名】全文
【補正方法】変更
【補正の内容】
【特許請求の範囲】
【請求項１】
シートを搬送する第１の搬送手段と、
前記第１の搬送手段から搬送されたシートを受け取って搬送する第２の搬送手段と、
前記第２の搬送手段によるシートの搬送方向に直交する幅方向におけるシートの端部の位置を検知する検知手段と、
前記第２の搬送手段により搬送されるシートを前記幅方向へ移動させるシート移動手段と、
前記検知手段により検知されるシートの端部位置に基づいて、検知した位置と基準位置との差分を算出する算出手段と、
前記幅方向におけるシートの位置を補正すべく、前記算出手段により算出された差分に基づいて前記シート移動手段によるシートの移動量を制御する位置補正手段と、
前記算出手段により算出された差分が所定量以下である場合、前記第１の搬送手段によるシートの搬送間隔を短くさせる搬送間隔制御手段と、
を有することを特徴とするシート搬送装置。
【請求項２】
前記算出手段により算出された差分が前記所定量以下であるシートが連続して搬送された枚数をカウントするカウンタを有し、
前記搬送間隔制御手段は、前記カウンタが所定枚数をカウントすると、前記第１の搬送手段によるシートの搬送間隔を短くさせることを特徴とする請求項１記載のシート搬送装置。
【請求項３】
前記位置補正手段は、前記算出手段により算出された差分が所定量以下である場合、前記シート移動手段によるシートの最大移動量を減少させることを特徴とする請求項１又は２記載のシート搬送装置。
【請求項４】
前記シート検知手段は、シートを検知するセンサと、前記センサを前記幅方向へ移動させるセンサ移動手段とを有し、前記センサを移動させることによりシートの端部の位置を検知するものであり、
前記算出手段は、算出した差分が所定量以下である場合、搬送間隔が短くされたシートに対して前記センサ移動手段による前記センサの最大移動量を減少させることを特徴とする請求項１記載のシート搬送装置。
【請求項５】
前記第１の搬送手段は、シートを給送する複数の給送部の何れかからシートを給送し、前記搬送間隔制御手段が前記第１の搬送手段の搬送間隔を短くさせた後に、使用する給送手段が変更された場合、前記第１の搬送手段は搬送間隔を広げることを特徴とする請求項３記載のシート搬送装置。
【請求項６】
前記第１の搬送手段が搬送間隔を広げた場合、前記位置補正手段は、前記最大移動量を増加させることを特徴とする請求項５記載のシート搬送装置。
【請求項７】
前記第１の搬送手段が搬送間隔を広げた場合、前記算出手段は、搬送間隔が広くされたシートに対して前記センサ移動手段による前記センサの最大移動量を増加させることを特徴とする請求項６記載のシート搬送装置。
【請求項８】
シートを搬送する上流側装置から受け取ったシートを搬送するシート搬送装置であって、
シートを搬送する搬送手段と、
前記搬送手段によるシートの搬送方向に直交する幅方向におけるシートの端部の位置を検知する検知手段と、
前記搬送手段により搬送されるシートを前記幅方向に移動させるシート移動手段と、
前記検知手段により検知されるシートの端部の位置と基準位置との差分を算出する算出手段と、
前記幅方向におけるシートの位置を補正すべく、前記算出手段により算出された差分に基づいて前記シート移動手段によるシートの移動量を制御する位置補正手段と、
前記算出手段により算出された差分が所定量以下である場合、前記上流側装置に対してシートの排出間隔を短くする指示を送信する搬送間隔制御手段と、
を有することを特徴とするシート搬送装置。
【請求項９】
前記上流側装置からシートの搬送間隔を広げたことを示す情報を受信した場合、前記位置補正手段は、前記シート移動手段によるシートの最大移動量を増加させることを特徴とする請求項８記載のシート搬送装置。
【請求項１０】
前記シート検知手段は、シートを検知するセンサと、前記センサを前記幅方向へ移動させるセンサ移動手段を有し、前記センサを移動させることによりシートの位置の端部を検知するものであり、
前記上流側装置からシートの搬送間隔を広げたことを示す情報を受信した場合、前記算出手段は、前記センサ移動手段による前記センサの最大移動量を減少させることを特徴とする請求項８記載のシート搬送装置。
【請求項１１】
シートを収納する収納部と、
前記収納部に収納されたシートを給送する給送手段と、
前記給送手段により給送されたシートに像形成する像形成手段と、
前記像形成手段により画像が形成されたシートを搬送する搬送手段と、
前記搬送手段によるシートの搬送方向に直交する幅方向におけるシートの端部の位置を検知する検知手段と、
前記搬送手段により搬送されるシートを前記幅方向に移動させるシート移動手段と、
前記検知手段により検知されるシートの端部の位置と基準位置との差分を算出する算出手段と、
前記幅方向におけるシートの位置を補正すべく、前記算出手段により算出された差分に基づいて前記シート移動手段によるシートの移動量を制御する位置補正手段と、
前記算出手段により算出された差分が所定量以下である場合、前記給送手段によるシートの給送間隔を短くさせる給送間隔制御手段と、
を有することを特徴とする画像形成装置。
【請求項１２】
前記位置補正手段は、前記算出手段により算出された差分が所定量以下である場合、前記シート移動手段によるシートの最大移動量を減少させることを特徴とする請求項１１記載の画像形成装置。
【請求項１３】
前記検知手段は、シートを検知するセンサと、前記センサを前記幅方向へ移動させるセンサ移動手段を有し、前記センサを移動させることによりシートの端部の位置を検知するものであり、
前記算出手段は、算出した差分が所定量以下である場合、給送間隔が短くされたシートに対して前記センサ移動手段による前記センサの最大移動量を減少させることを特徴とする請求項１２記載の画像形成装置。
【手続補正２】
【補正対象書類名】明細書
【補正対象項目名】０００９
【補正方法】変更
【補正の内容】
【０００９】
上記課題を解決するために、本発明のシート搬送装置は、シートを搬送する第１の搬送手段と、前記第１の搬送手段から搬送されたシートを受け取って搬送する第２の搬送手段と、前記第２の搬送手段によるシートの搬送方向に直交する幅方向におけるシートの端部の位置を検知する検知手段と、前記第２の搬送手段により搬送されるシートを前記幅方向へ移動させるシート移動手段と、前記検知手段により検知されるシートの端部位置に基づいて、検知した位置と基準位置との差分を算出する算出手段と、前記幅方向におけるシートの位置を補正すべく、前記算出手段により算出された差分に基づいて前記シート移動手段によるシートの移動量を制御する位置補正手段と、前記算出手段により算出された差分が所定量以下である場合、前記第１の搬送手段によるシートの搬送間隔を短くさせる搬送間隔制御手段と、を有することを特徴とする。
【手続補正３】
【補正対象書類名】明細書
【補正対象項目名】００１０
【補正方法】変更
【補正の内容】
【００１０】
また、本発明のシート搬送装置は、シートを搬送する上流側装置から受け取ったシートを搬送するシート搬送装置であって、シートを搬送する搬送手段と、前記搬送手段によるシートの搬送方向に直交する幅方向におけるシートの端部の位置を検知する検知手段と、前記搬送手段により搬送されるシートを前記幅方向に移動させるシート移動手段と、前記検知手段により検知されるシートの端部の位置と基準位置との差分を算出する算出手段と、前記幅方向におけるシートの位置を補正すべく、前記算出手段により算出された差分に基づいて前記シート移動手段によるシートの移動量を制御する位置補正手段と、前記算出手段により算出された差分が所定量以下である場合、前記上流側装置に対してシートの排出間隔を短くする指示を送信する搬送間隔制御手段と、を有することを特徴とする。
【手続補正４】
【補正対象書類名】明細書
【補正対象項目名】００１１
【補正方法】変更
【補正の内容】
【００１１】
また、本発明の画像形成装置は、シートを収納する収納部と、前記収納部に収納されたシートを給送する給送手段と、前記給送手段により給送されたシートに像形成する像形成手段と、前記像形成手段により画像が形成されたシートを搬送する搬送手段と、前記搬送手段によるシートの搬送方向に直交する幅方向におけるシートの端部の位置を検知する検知手段と、前記搬送手段により搬送されるシートを前記幅方向に移動させるシート移動手段と、前記検知手段により検知されるシートの端部の位置と基準位置との差分を算出する算出手段と、前記幅方向におけるシートの位置を補正すべく、前記算出手段により算出された差分に基づいて前記シート移動手段によるシートの移動量を制御する位置補正手段と、前記算出手段により算出された差分が所定量以下である場合、前記給送手段によるシートの給送間隔を短くさせる給送間隔制御手段と、を有することを特徴とする。